(57)【要約】      （修正有）【課題】感染リスクの低減を図るテーブルを提供する。【解決手段】天板２と、天板２を支持する中空の天板支持台３と、を備える。天板支持台３は、内部に中底板３０を挟んで上下に分かれた上部室３１と下部室３２を備え、上部室３１は天板２により上方が塞がれており、下部室３２は底面に底板４４が設けられている。天板２には、外部と上部室３１を連通する多数のスリットが形成されており、中底板３４には、上部室３１と下部室３２を連通する第１の開口３５が形成されており、下部室３２には中底３０の開口３５を通して上部室３１の空気を吸い込んで浄化し、下部室３２に形成した第２の開口４５から外部へ吐出する空気清浄機５０が設置されている。天板２に形成した多数のスリットは、中底板３０に形成した第１の開口３５とは平面的に重ならないようにしてある。【選択図】図５
0003233852.tif 000002
【実用新案登録請求の範囲】
【請求項１】
天板と、
天板を支持する中空の天板支持台と、
を備え、
天板支持台は、内部に中底板を挟んで上下に分かれた上部室と下部室を備え、
上部室は天板により上方が塞がれており、下部室は底面に底板が設けられており、
天板には、外部と上部室を連通する多数の吸い込み口が形成されており、
中底板には、上部室と下部室を連通する第１の開口が形成されており、
下部室には中底板の第１の開口を通して上部室の空気を吸い込んで浄化し、下部室に形成した第２の開口から外部へ吐出する空気清浄機が設置されており、
天板に形成した多数の吸い込み口は、中底板に形成した第１の開口と、平面的に重ならないようにしたこと、
を特徴とするテーブル。
【請求項２】
中底板の内、平面的に見て天板の多数の吸い込み口と重なる領域に、吸水シートと飛散防止マットの少なくとも一方を設けたこと、
を特徴とする請求項１記載のテーブル。
【請求項３】
天板は、１または複数の可動板部材を含み、
多数の吸い込み口は、可動板部材に形成したこと、
を特徴とする請求項１または２記載のテーブル。
【請求項４】
天板支持台は、下面に移動用のキャスターを備えており、
第２の開口は、下部室の底板に形成されており、
天板支持台の下端の前端縁に沿って、下端が床に届くスカートが設けられていること、
を特徴とする請求項１または２または３記載のテーブル。
【請求項５】
第２の開口は、下部室の底板に形成されており、
天板支持台は、左右両端に設けられた側面板が下方に突出しており、
天板支持台の下端の前端縁に沿って、下端が床に届くスカートが設けられており、
側面板の下端部に排気穴が設けられていること、
を特徴とする請求項１または２または３記載のテーブル。
【請求項６】
天板支持台は、左右両端に設けられた側面板が下方に突出しており、
側面板の下端部に排気穴が設けられていること、
を特徴とする請求項４記載のテーブル。
【請求項７】
側面板に、排気穴に外側から対向し吐出空気の向きを変える邪魔板が設けられていること、
を特徴とする請求項５または６記載のテーブル。
【考案の詳細な説明】
【技術分野】
【０００１】
本考案はテーブルに係り、とくに空気清浄機付のテーブルに関する。
【背景技術】
【０００２】
新型コロナウィルスの感染が拡大している現在、家族、友人等が集って飲食店で飲食する場合に、感染リスクを最小限に抑える対策が必須である。手指のアルコール消毒、マスクやフェースシールドの着用が励行されているが、飲食中はマスクやフェースシールドを外すため、会話や咳等による感染リスクが高い。また家庭において、家族でダイニングテーブルを囲んで食事や団らんをする際に、同様の感染対策を行うべきであるが、子供や老人がいる家庭では家庭内感染の防止が難しいという問題があった。
【考案の概要】
【考案が解決しようとする課題】
【０００３】
本考案は上記した従来技術の問題に鑑みなされたもので、感染リスクの低減を図ることのできるテーブルを提供することを、その目的とする。
【課題を解決するための手段】
【０００４】
請求項１記載の考案では、
天板と、
天板を支持する中空の天板支持台と、
を備え、
天板支持台は、内部に中底板を挟んで上下に分かれた上部室と下部室を備え、
上部室は天板により上方が塞がれており、下部室は底面に底板が設けられており、
天板には、外部と上部室を連通する多数の吸い込み口が形成されており、
中底板には、上部室と下部室を連通する第１の開口が形成されており、
下部室には中底板の第１の開口を通して上部室の空気を吸い込んで浄化し、下部室に形成した第２の開口から外部へ吐出する空気清浄機が設置されており、
天板に形成した多数の吸い込み口は、中底板に形成した第１の開口と、平面的に重ならないようにしたこと、
を特徴としている。
請求項２記載の考案では、
中底板の内、平面的に見て天板の多数の吸い込み口と重なる領域に、吸水シートと飛散防止マットの少なくとも一方を設けたこと、
を特徴としている。
請求項３記載の考案では、
天板は、１または複数の可動板部材を含み、
多数の吸い込み口は、可動板部材に形成したこと、
を特徴としている。
請求項４記載の考案では、
天板支持台は、下面に移動用のキャスターを備えており、
第２の開口は、下部室の底板に形成されており、
天板支持台の下端の前端縁に沿って、下端が床に届くスカートが設けられていること、
を特徴としている。
請求項５記載の考案では、
第２の開口は、下部室の底板に形成されており、
天板支持台は、左右両端に設けられた側面板が下方に突出しており、
天板支持台の下端の前端縁に沿って、下端が床に届くスカートが設けられており、
側面板の下端部に排気穴が設けられていること、
を特徴としている。
請求項６記載の考案では、
天板支持台は、左右両端に設けられた側面板が下方に突出しており、
側面板の下端部に排気穴が設けられていること、
を特徴としている。
請求項７記載の考案では、
側面板に、排気穴に外側から対向し吐出空気の向きを変える邪魔板が設けられていること、
を特徴としている。
【考案の効果】
【０００５】
本考案によれば、テーブルに向かった或る人が会話をしたり、咳をしたりしたときに口や鼻から飛散したウィルスを含む空気は、天板に形成された多数の吸い込み口から天板支持台の上部室に入り、第１の開口を通過して下部室に設置された空気清浄機により浄化されたあと、第２の開口から外部に出るので、テーブルに向かった他の人がウィルルス付の空気を吸い込んでしまうのを防止することができる。
また、他の考案によれば、天板にこぼした水やお酒などの液体が多数の吸込み口から上部室に入っても、吸込み口と中底板の第１の開口が平面的にずれた位置にあるので、こぼれた液体が空気清浄機にかかりにくく、機器故障を回避することができる。
更に、他の考案によれば、中底板の内、平面的に見て天板の多数の吸込み口と重なる領域に、吸水シートと飛散防止マットの少なくとも一方を設けたことにより、水やお酒などの液体入りのコップを倒すなどして多量の液体が吸込み口から上部室に入っても、飛散防止マットにより飛散が抑制されて第１の開口内への飛び散りが防止されたり、吸水シートに吸水されて第１の開口の中に入るのが防止されるので、より一層、空気清浄機に液体がかかりにくくなる。
更に、他の考案によれば、天板を固定板部材と、開閉自在の１または複数の可動板部材を組合せて構成し、多数の吸込み口を可動板部材に形成したことにより、液体が多数の吸込み口から上部室にこぼれたときに、可動板部材を開けて、上部室にこぼれた液体を拭き取ることができる。
更に他の考案によれば、天板支持台の下面に移動用のキャスターを備え、第２の開口は、下部室の底板に形成し、天板部支持台の下端部の左右に延びた端縁に沿って、下端が床に届くスカートを設けたので、第２の開口から外部に出た浄化後の空気がテーブルの左右両脇の方向へ流れるので、テーブルに前後から向かっている人の足元に流れるのを回避できる。
更に他の考案によれば、第２の開口は、下部室の底板に形成し、天板支持台は、左右両端に設けられた側面板が下方に突出し、天板支持台の下端部の左右に延びた端縁に沿って、下端が床に届くスカートを設け、側面板の下端部に排気穴を設けたので、第２の開口から外部に出た浄化後の空気がテーブルの左右両脇の狭い範囲から外部へ流れるようにできる。
更に他の考案によれば、排気穴の外側に邪魔板を設けたことにより、浄化後の空気の流れが排気穴から側方へ拡がるのを抑制することができる。
【図面の簡単な説明】
【０００６】
【図１】図１は本考案の一実施例に係るテーブルの外観斜視図である（実施例１）。
【図２】図２は図１の平面図である。
【図３】図３は図２の正面図である。
【図４】図４は図２の側面図である。
【図５】図５は図２のＶ−Ｖ’線に沿った断面図である。
【図６】図６は図３のＶＩ−ＶＩ’線に沿った断面図である。
【図７】図７は図２の天板を省略した平面図である。
【図８】図８は図７の中底板から上部を省略した平面図である。
【図９】図９は図１の天板を開けた状態を示す一部省略した外観斜視図である。
【考案を実施するための最良の形態】
【０００７】
以下、本考案の最良の形態を実施例に基づき説明する。
【実施例１】
【０００８】
図１乃至図９を用いて本考案の一実施例に係るテーブルのを説明する。図１は本考案の一実施例に係るテーブルの外観斜視図、図２は図１の平面図、図３は図２の正面図、図４は図２の側面図、図５は図２のＶ−Ｖ’線に沿った断面図、図６は図３のＶＩ−ＶＩ’線に沿った断面図、図７は図２の天板を省略した平面図、図８は図７の中底板から上部を省略した平面図、図９は図１の天板を開けた状態を示す一部省略した外観斜視図である。
図１乃至図８において、１は飲食店または家庭内で使用するテーブル、2 はテーブル１の上端部に設けられた左右に長い長方形状の天板、3 は天板２を支持する中空の天板支持台( 以下、単に「支持台」という) 、４は支持台の底面の四隅と左右方向の中央の前後に設けた６個の移動用のキャスターである。
【０００９】
天板２は略同形の３枚の左右に長い長方形状の固定板部材２０と、固定板部材２０を挟んで前後両側の同一平面上に並置された2 枚の可動板部材２１、２２の組み合わせからなる。固定板部材２０は支持台３の上端に固定されている。一方、可動板部材２１は固定板部材２０の間の左右二カ所に設けたヒンジ( 図示せず) を軸にして手前側の端部が上下に回動することで、後述する上部室内を開閉自在になっており、可動板部材２２は固定板部材２０の間の左右二カ所に設けたヒンジ( 図示せず) を軸にして奥側の端部が上下に回動することで、後述する上部室内を開閉自在になっている（図９参照）。
可動板部材２１、２２には、多数の吸い込み口としての左右方向に延びた狭い隙間で上下に貫通したスリット２３が前後方向に複数列形成されており、テーブル１に向かった或る人が会話をしたり、咳をしたりしたときに口や鼻から出たウィルスを含む空気が、多数のスリット２３を通して後述する上部室に吸込まれて、テーブル１の周囲に飛散しないようになっている。
【００１０】
支持台３は、中空であり、内部に中底板３０を挟んで上下に分かれた上部室３１と下部室３２を備えている。すなわち、支持台３の上部に天板２より少し小さく、高さが１０乃至２０ｃｍ程度の長方形状の枠体３３が設けられており、枠体３３の下側に中底板３０が固着されている。枠体３３と中底板３０により上部室３１が形成されており、上部室３１の上方が天板２により閉塞されている。固定板部材２０は、枠体３３上に固着されている。中底板３０の略中央には、長方形状の第１の開口３４が形成されており、第１の開口３４の端縁沿って枠状の堰３５が設けられており、スリット２３を通して中底板３０の上面にこぼれた水、お酒等の液体が第１の開口３４の中に入るのが防止されるようになっている。
【００１１】
中底板３０の上面で可動板部材２１の下方には、第１の開口３４の手前側で枠体３３の前枠部３３ａと左右枠部３３ｂ、３３ｃに囲まれた領域に吸水シート３６及び飛散防止マット３７が積層されており、同様に、可動板部材２２の下方にも、第１の開口３４の奥側で枠体３３の後枠部３３ｄと左右枠部３３ｂ、３３ｃに囲まれた領域に吸水シート３６及び飛散防止マット３７が積層されており、スリット２３を通して上部室３２に多量の液体がこぼれても飛散防止マット３７により飛散が抑制されて第１の開口３４内への飛び散りが防止されるとともに、吸水シート３６に吸水されて第１の開口３４の中に入るのが防止されるようになっている。吸水シート３６の交換を含む上部室３１の掃除は、可動板部材２１、２２を開けて行うことができる。なお、可動板部材２１、２２の左右端部と枠体３３の左右枠部３３ｂ、３３ｃの間には、開閉用ステー３８が設けられている。
【００１２】
枠体３３の左右枠部３３ｂ、３３ｃの下側には、左右枠部３３ｂ、３３ｃを支持するようにして砂時計形の側面板４０、４１が垂直に固着されている。側面板４０、４１の上端の前後方向の長さは枠体３３の前後方向の長さと同一である。中底板３０の下面の内、第１の開口３４を挟んで前寄りと後寄りには、中底板３０を支持するようにして、長方形状の前面板４２と背面板４３が垂直に固着されている。前面板４２と背面板４３の左右方向の長さは枠体３３の左右方向の長さと同一である。側面板４０、４１の高さは前面板４２と背面板４３の高さより、少し大きく形成されており、前面板４２と背面板４３の下端より、下方へ少し突出している。
【００１３】
前面板４２と背面板４３の下端面と、側面板４０、４１の間に支持台３の底面を形成する底板４４が固着されている。側面板４０から少し内側で中底板３０と底板４４の間と、側面板４１から少し内側で中底板３０と底板４４の間に、仕切り板４５、４６が固着されている。中底板３０、仕切り板４５、４６、前面板４２、背面板４３、底板４４により、下部室３２が形成されている。下部室３２の空間高さは５０乃至７０ｃｍ程度であり、内部に箱型の空気清浄機５０が設置されている。空気清浄機５０は上面に吸い込み口５１、下面に吐出口５２が設けられている。吸込み口５１は、第１の開口３４の直下に位置し、第１の開口３４より少し小さい。吐出口５２の直下の底板４４には、吐出口５２より少し大きい第２の開口４７が形成されている。前面板４には、開閉扉（図示せず）が設けられており、空気清浄機５０のメンテナンス、交換等が可能になっている。
【００１４】
空気清浄機５０の内蔵ファン（図示せず）が可動すると、天板２の上方の空気が多数のスリット３３通って上部室３１に吸込まれ、第１の開口３４を通過したあと吸込み口５１から空気清浄機５０内に入り、浄化される。そして、浄化後の空気が吐出口５２から吐出され、第２の開口４７から底板４４下の外部に排出される。
【００１５】
底板４４の下面の四隅と左右方向の中央の前端と後端には、テーブル移動用のキャスター４が設けられている。側面板４０、４１の下端はキャスター４の下端より少し高くなっている。側面板４０、４１の下面の前後両端には、床に押し付けてブレーキを掛けたり、解除したりするアジャスター５が設けられている。
【００１６】
支持台２の下端の前端縁である前面板４２の下端の前端縁に沿って、側面板４０から４１まで左右方向に下端が床に届くスカート６０が設けられており、支持台２の下端の後端縁である背面板４３の下端の後端縁に沿って、側面板４０から４１まで左右方向に下端が床に届くスカート６０が設けられている。これにより、底板４４下に排出された空気は、第２の開口４７から外部に出た浄化後の空気がテーブル１の左右両脇の方向へ流れるので、テーブル１に前後から向かっている人の足元に流れるのを回避できる。
左右の側面板４０、４１の下端部の前後方向の中央には空気を排出する排気穴４８が形成されており、更に、排気穴４８に対向して排出空気の向きを鉛直方向に変える邪魔板４９が設けられている。
【００１７】
上記のように構成されたテーブル１によれば、テーブル１に向かった或る人が会話をしたり、咳をしたりしたときに口や鼻から飛散したウィルスを含む空気は、天板２に形成された多数のスリット２３から支持台３の上部室３１に入り、第１の開口３４を通過して下部室３２に設置された空気清浄機５０により浄化されたあと、第２の開口４５から外部に出るので、テーブル１に向かった他の人がウィルス付の空気を吸い込んでしまうのを防止することができる。
また、天板２にこぼした水やお酒などの液体がスリット２３から上部室３１に入っても、スリット２３と中底板３０の第１の開口３４が平面的にずれた位置にあるので、こぼれた液体が空気清浄機５０にかかりにくく、機器故障を回避することができる。
更に、中底板３０の内、平面的に見て天板２の多数のスリット２３と重なる領域に、吸水シート３６と飛散防止マット３７を設けたことにより、液体入りのコップを倒すなどして多量の液体がスリット２３から上部室３１に入っても、飛散防止マット３７により飛散が抑制されて第１の開口３４内への飛び散りが防止されるとともに、吸水シート３６に吸水されて第１の開口３４の中に入るのが防止されるので、より一層、空気清浄機５０に液体がかかりにくくなる。
更に、天板２を固定板部材２０と、開閉自在の複数の可動板部材２１、２２を組合せて構成し、多数のスリット２３、可動板部材２１、２２に形成したことにより、液体がスリット２３から上部室３１にこぼれたときに、図９に示す如く可動板部材２１、２２を開けて、上部室３１にこぼれた液体を拭き取ることができる。
【００１８】
更に、支持台３の下面に移動用のキャスター４を備え、第２の開口４５は、下部室３１の底板４４に形成し、支持台３の下端部の左右に延びた端縁に沿って、下端が床に届くスカート６０を設けたので、第２の開口４５から外部に出た浄化後の空気がテーブル１の左右両脇の方向へ流れるので、テーブル１に前後から向かっている人の足元に流れるのを回避できる。
更に、側面板４０、４１の下端部に排気穴４８を設けたので、第２の開口４５から外部に出た浄化後の空気がテーブル１の左右両脇の狭い範囲から外部へ流れるようにでき、排気穴４８の外側に邪魔板４９を設けたことにより、浄化後の空気の流れが排気穴４８から側方へ拡がるのを抑制することができる。
【００１９】
なお、上記した実施例では、天板に可動板部材を２つ備えた場合を例に挙げて説明したが、１つとしても良い。
また、天板に形成した多数の吸込み口を多数のスリットにより具現した場合を例に挙げたが、多数の丸穴、角穴などとしても良い。
【産業上の利用可能性】
【００２０】
本考案は、飲食店の客席テーブルや家庭用ダイニングテーブル、オフィス等の作業テーブルなどに使用可能である。
【符号の説明】
【００２１】
１  テープル
２  天板
３  天板支持台
４  キャスター
２０  固定板部材
２１、２２  可動板部材
３０  中底板
３１  上部室
３２  下部室
３３  枠体
３４  第１の開口
３５  堰
３６  吸水シート
３７  飛散防止マット
４０、４１  側面板
４２  前面板
４３  背面板
４４  底板
４５  第２の開口
４６、４７  仕切板
４８  排気穴
４９  邪魔板
５０  空気清浄機
６０  スカート
【図１】
0003233852.tif 000003
【図２】
0003233852.tif 000004
【図３】
0003233852.tif 000005
【図４】
0003233852.tif 000006
【図５】
0003233852.tif 000007
【図６】
0003233852.tif 000008
【図７】
0003233852.tif 000009
【図８】
0003233852.tif 000010
【図９】
0003233852.tif 000011